(57)【要約】【課題】ＲＦＩＤタグが貼付された多数の封筒を１つの保管箱に入れて配送する場合に多数の封筒を容易に確認できるようにする。【解決手段】ＰＣ３０は、ＲＦＩＤ読取スキャナ２０で読み取られた保管箱１０に貼付されているＲＦＩＤ１１のＩＤ番号を用いて、当該保管箱１０の発送元のデータとしての配送情報をセンタ３から読み出し、この配送情報とＲＦＩＤ読取スキャナ２０で読み取った区画番号毎の複数のＲＦＩＤ１３の情報とを照合して全て一致しているかを確認する。ここで、一致していない場合は、紛失、抜取り、またはＲＦＩＤタグ１３の故障等が考えられので、どの区画番号の封筒１２（ＲＦＩＤ１３のＩＤ番号）が一致していないか発送元のデータがチェックされ、当該区画番号の現物の封筒１２が目視で確認され、ＰＣ３０からその結果がセンタ３に送信される。【選択図】図２
2005263472.tif 000002
【特許請求の範囲】
【請求項１】
無線周波帯の搬送波を用いて非接触にて通信を行うＲＦＩＤタグが貼付された流通物の情報を管理する流通物情報管理システムであって、
ＲＦＩＤタグが貼付され、複数の区画を有して上記複数の流通物を保管する保管手段と、
上記複数の流通物を配送する際、当該複数の流通物が保管された保管手段のＲＦＩＤタグの情報と、当該保管手段が有する区画毎に保管されている複数の流通物に貼付されているＲＦＩＤタグの情報とを非接触にて通信して読み取る第１の読取手段と、
この第１の読取手段で読み取られた当該保管手段のＲＦＩＤタグの情報に、上記保管手段の区画毎の流通物のＲＦＩＤタグの情報を添付して保存する保存手段と、
上記保管手段に保管された複数の流通物が配送された際、当該複数の流通物が保管された保管手段のＲＦＩＤタグの情報と、当該保管手段の区画毎の流通物のＲＦＩＤタグの情報とを非接触にて通信して読み取る第２の読取手段と、
この第２の読取手段で読み取られた当該保管手段のＲＦＩＤタグの情報を用いて、上記保存手段に保存されている上記保管手段の区画毎の流通物のＲＦＩＤタグの情報を読み出す読出手段と、
この読出手段で読み出された上記保管手段の区画毎の流通物のＲＦＩＤタグの情報と、上記第２の読取手段で読み取られた当該保管手段の区画毎の流通物のＲＦＩＤタグの情報とを区画毎に照合する照合手段と、
この照合手段で一致しなかった区画があった際、当該区画情報を表示する制御を行う制御手段と、
を具備したことを特徴とする流通物情報管理システム。
【発明の詳細な説明】
【技術分野】
【０００１】
この発明は、無線周波帯の搬送波を用いて非接触にて情報タグ（ＲＦＩＤタグ）を流通物に利用した流通物情報管理システムに関する。
【背景技術】
【０００２】
従来、ＲＦＩＤタグを書留郵便や小包郵便等の受託配送物品に添付し、利用者側での差し出し準備作業段階から配送物品取扱事業者での窓口引受、送達、配達、追跡調査、その他の事務や大口配達先での配分等の処理作業を、ＲＦＩＤ機能装置とのデータ通信を行う方法が提案されている（例えば、特許文献１）。
【０００３】
しかしながら、例えば、ＲＦＩＤタグが貼付された書留郵便物（封筒）など２００〜３００通を１つの郵袋（保管箱）に入れて配送する場合、データ通信により個々の書留郵便物のデータを取得して保管状態を管理することができるが、現物の保管状態を確認する場合や異常があって現物を確認する場合など２００〜３００通も確認しなければならなかった。
【特許文献１】特開平１１−１７５６２１号公報
【発明の開示】
【発明が解決しようとする課題】
【０００４】
上記したように、ＲＦＩＤタグが貼付された多数の書留郵便物（封筒：流通物）を１つの郵袋（保管箱）に入れて配送する場合、データ通信により個々の書留郵便物のデータを取得して保管状態を管理することができるが、現物の保管状態を確認する場合や異常があって現物を確認する場合など多数の書留郵便物を確認しなければならないという問題があった。
【０００５】
この発明の目的は、多数のＲＦＩＤタグが貼付された流通物（封筒）を１つの保管箱に入れて配送する場合でも多数の流通物を容易に確認することのできる流通物情報管理システムを提供することである。
【課題を解決するための手段】
【０００６】
この発明の流通物情報管理システムは、無線周波帯の搬送波を用いて非接触にて通信を行うＲＦＩＤタグが貼付された流通物の情報を管理する流通物情報管理システムであって、ＲＦＩＤタグが貼付され、複数の区画を有して上記複数の流通物を保管する保管手段と、上記複数の流通物を配送する際、当該複数の流通物が保管された保管手段のＲＦＩＤタグの情報と、当該保管手段が有する区画毎に保管されている複数の流通物に貼付されているＲＦＩＤタグの情報とを非接触にて通信して読み取る第１の読取手段と、この第１の読取手段で読み取られた当該保管手段のＲＦＩＤタグの情報に、上記保管手段の区画毎の流通物のＲＦＩＤタグの情報を添付して保存する保存手段と、上記保管手段に保管された複数の流通物が配送された際、当該複数の流通物が保管された保管手段のＲＦＩＤタグの情報と、当該保管手段の区画毎の流通物のＲＦＩＤタグの情報とを非接触にて通信して読み取る第２の読取手段と、この第２の読取手段で読み取られた当該保管手段のＲＦＩＤタグの情報を用いて、上記保存手段に保存されている上記保管手段の区画毎の流通物のＲＦＩＤタグの情報を読み出す読出手段と、この読出手段で読み出された上記保管手段の区画毎の流通物のＲＦＩＤタグの情報と、上記第２の読取手段で読み取られた当該保管手段の区画毎の流通物のＲＦＩＤタグの情報とを区画毎に照合する照合手段と、この照合手段で一致しなかった区画があった際、当該区画情報を表示する制御を行う制御手段とから構成されている。
【発明の効果】
【０００７】
本発明の情報タグ検知装置は、多数のＲＦＩＤタグが貼付された流通物を１つの保管箱に入れて配送する場合でも多数の流通物を容易に確認することを可能にすることができる。
【発明を実施するための最良の形態】
【０００８】
以下、図面を参照して、この発明の実施の形態について詳細に説明する。
【０００９】
図１は、この発明に係る流通物情報管理システムの概略構成例を示すものである。すなわち、流通物情報管理システムは、発送元の郵便局（引受局）１から複数の流通物を保管箱に入れて宛先の郵便局（配達局あるいは中継局）２へ配送する際、当該複数の封筒（例えば、書留郵便物）の配送情報をセンタ３の上位システムデータベース４に保存させて管理するものである。なお、宛先の郵便局２は、保管箱を中継する中継局、あるいは保管箱内の封筒を配達する配達局でも良く、要は、複数の封筒の入った保管箱を受け取る側の郵便局である。
【００１０】
図２は、保管箱１０と周辺機器を示すものである。図２に示す保管箱１０は、６区画に仕切られている。また、この保管箱１０には、保管箱を識別するためのＲＦＩＤタグ１１が貼付されている。この保管箱１０には、ＲＦＩＤタグ１３が貼付された封筒１２が各区画に複数づつ入れられて配送される。例えば、１つの区画に５０枚の封筒１２が入れられた場合、当該保管箱１０には３００枚の封筒１２が入れられる。
【００１１】
また、保管箱１０内の封筒１２に貼付されたＲＦＩＤタグ１３は、ＲＦＩＤ読取スキャナ２０によって読み取られる。このＲＦＩＤ読取スキャナ２０は、詳しくは後述するが保管箱１０の６区画の仕切りに合わせて６個のアンテナ部２１，２２，２３，２４，２５，２６を有している。さらにＲＦＩＤ読取スキャナ２０には、ＲＳ−２３２Ｃの規格あるいはＵＳＢ（Universal Serial Bus）等でパーソナルコンピュータ（ＰＣ）３０が接続されている。
【００１２】
ＰＣ３０は、通信回線を介してセンタ３に接続されている。なお、ＰＣ３０は、一般的な構成のパーソナルコンピュータであるので図示しないが、全体の制御を司るＣＰＵ、制御プログラムが記憶されているＲＯＭ、データを一時記憶するＲＡＭ、入力部、表示部、通信回線と接続されるインターフェース、及びＲＦＩＤ読取スキャナ２０と接続されるインターフェースとから構成されている。
【００１３】
また、ＲＦＩＤ読取スキャナ２０とＰＣ３０とは、上述した発送元の郵便局１及び宛先の郵便局２に設けられている。
【００１４】
図３は、保管箱１０の概略構成を示すものである。図３は、保管箱１０を上から見た状態を示すもので、６個の区画に仕切られている。例えば、区画番号１，２，３，４，５，６とから構成されている。
【００１５】
図４は、ＲＦＩＤ読取スキャナ２０の保管箱１０が置かれる部分の概略構成を示すものである。図４は、ＲＦＩＤ読取スキャナ２０の保管箱１０が置かれる部分を上から見た状態を示すもので、内部が６個のアンテナ部で仕切られている。
【００１６】
図５は、ＲＦＩＤ読取スキャナ２０の上に保管箱１０が置かれた状態を、正面から見た場合の断面を示すものである。保管箱１０の区画番号１にはＲＦＩＤ読取スキャナ２０のアンテナ部２１、保管箱１０の区画番号２にはＲＦＩＤ読取スキャナ２０のアンテナ部２２、保管箱１０の区画番号３にはＲＦＩＤ読取スキャナ２０のアンテナ部２３が対応している。
【００１７】
図５に示すように、保管箱１０の仕切りとしての斜線部ａは、電波吸収シートである。また、ＲＦＩＤ読取スキャナ２０のアンテナ部２１，２２，２３を仕切る斜線部ｂも、電波吸収シートである。
【００１８】
それによって、保管箱１０の区画番号１に入れられている封筒１２のＲＦＩＤタグ１３は、アンテナ部２１のみに読み取られる。同様に、区画番号２はアンテナ部２２のみ、区画番号３はアンテナ部２３のみ、区画番号４はアンテナ部２４のみ、区画番号５はアンテナ部２５のみ、区画番号６はアンテナ部２６のみに読み取られる。
【００１９】
次に、このような構成において、流通物情報管理システムの動作を説明する。
【００２０】
まず、図１に示す発送元の郵便局１において、配送するＲＦＩＤタグ１３が貼付された複数の封筒１２が、保管箱１０に入れられたものとする。
【００２１】
その際、発送元の郵便局１では、図２に示すように、ＲＦＩＤ読取スキャナ２０で保管箱１０内のＲＦＩＤタグ１３の情報が読み取られる。上述したように、保管箱１０の区画番号１〜６に分けて読み取られる。さらに、保管箱１０に貼付されているＲＦＩＤ１１の情報も読み取られる。
【００２２】
ＰＣ３０は、ＲＦＩＤ読取スキャナ２０で読み取られたＲＦＩＤ１１の情報と、区画番号毎の複数のＲＦＩＤ１３の情報とを配送情報として編集してセンタ３へ送信する。
【００２３】
図６は、送信される配送情報例を示すものである。図に示すように、配送情報は、例えば、当該保管箱１０のＩＤ番号が「３０６０８７」、区画番号１のＲＦＩＤ数が「４５」、区画番号２のＲＦＩＤ数が「４２」、区画番号３のＲＦＩＤ数が「５０」、区画番号４のＲＦＩＤ数が「５０」、区画番号５のＲＦＩＤ数が「４８」、区画番号６のＲＦＩＤ数が「３５」、及び各ＲＦＩＤタグ１３のＩＤ番号とから構成される。
【００２４】
センタ３は、発送元の郵便局１から送信された配送情報を、発送元のデータとして上位システムデータベース４に保存する。
【００２５】
ここで、当該保管箱１０が、図１に示すトラック５によって宛先の郵便局２に配送されたものとする。
【００２６】
その際、宛先の郵便局２では、図２に示すように、ＲＦＩＤ読取スキャナ２０で配送された保管箱１０内のＲＦＩＤタグ１３の情報が読み取られる。上述したように、保管箱１０の区画番号１〜６に分けて読み取られる。さらに、保管箱１０に貼付されているＲＦＩＤ１１の情報も読み取られる。
【００２７】
ＰＣ３０は、ＲＦＩＤ読取スキャナ２０で読み取られた保管箱１０に貼付されているＲＦＩＤ１１のＩＤ番号を用いて、当該保管箱１０の発送元のデータとしての配送情報をセンタ３の上位システムデータベース４から読み出す。
【００２８】
そして、ＰＣ３０は、読み出した配送情報と、ＲＦＩＤ読取スキャナ２０で読み取った区画番号毎の複数のＲＦＩＤ１３の情報とを照合して全て一致しているかを確認する。
【００２９】
ここで、一致していない場合は、紛失、抜取り、またはＲＦＩＤタグ１３の故障等が考えられる。
【００３０】
ＰＣ３０は、一致していない場合、どの区画番号の封筒１２（ＲＦＩＤ１３のＩＤ番号）が一致していないかを図示しない表示部に表示する。
【００３１】
そこで、当該区画番号の現物の封筒１２が目視で確認され、ＰＣ３０からその結果がセンタ３に送信される。
【００３２】
以上説明したように上記発明の実施の形態によれば、封筒のＩＤ番号と保管箱のＩＤ番号と、その保管箱の区画番号とから配送情報が作成され、その配送情報がセンタに送信されて保存され、当該保管箱の配送先で当該保管箱の配送情報をダウンロードして、当該保管箱の区画番号毎に封筒のＩＤ番号を照合することにより、区画番号毎の封筒の配送を管理することができる。
【００３３】
このように区画番号毎に管理することにより、照合が一致しなかった場合に保管箱内の全てを目視で確認する必要がなく、一致しない区画のみを目視確認することで封筒を容易に確認することができる。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３５】
【図１】この発明に係る流通物情報管理システムの概略構成例を示す図。
【図２】保管箱と周辺機器を示す図。
【図３】保管箱の概略構成を示す図。
【図４】ＲＦＩＤ読取スキャナの保管箱が置かれる部分の概略構成を示す図。
【図５】ＲＦＩＤ読取スキャナの上に保管箱が置かれた状態を正面から見た場合の断面を示す図。
【図６】送信される配送情報例を示す図。
【符号の説明】
【００３６】
１…発送元の郵便局、２…宛先の郵便局、３…センタ、４…上位システムデータベース（保存手段）、５…トラック、１０…保管箱（保管手段）、１１，１３…ＲＦＩＤタグ、１２…封筒、２０…ＲＦＩＤ読取スキャナ（読取手段）、２１，２２，２３，２４，２５，２６…アンテナ部、３０…パーソナルコンピュータ（読出手段、照合手段、制御手段）。
【図１】
2005263472.tif 000003
【図２】
2005263472.tif 000004
【図３】
2005263472.tif 000005
【図４】
2005263472.tif 000006
【図５】
2005263472.tif 000007
【図６】
2005263472.tif 000008